(57)【要約】      （修正有）【課題】ディスクを容易に挿入することができるとともに、ケースを逆さにした場合でも収容しているディスクを安定して保持することができ、さらには収容状態でディスクの表示面が露出し、ケース自体に印刷が可能で安価なディスク収容ケースを提供する。【解決手段】ディスク収容ケース１は、第１紙片部２，２´と、この第１紙片部２，２´の裏面２ｂ側に重なる第２紙片部３とを含み、第１紙片部２，２´は、ディスクＤの一部分ＤＡの外周に沿った縁部２１ｂ，２１ｂ´を有する収容孔２１，２１´、および、当該ディスクＤにおける残りの部分ＤＢの外形と略一致する形状に隆起した保持部２３，２３´とを備え、第２紙片部３は、収容孔２１，２１´および保持部２３，２３´の周囲に接着され、保持部２３，２３´との間にディスクＤを収容可能な収容空間Ｓ，Ｓ´を形成するように構成した。【選択図】図１
2015168440.tif 000002
【特許請求の範囲】
【請求項１】
第１紙片部と、この第１紙片部の裏面側に重なる第２紙片部とを含み、
前記第１紙片部は、ディスクの一部分の外周に沿った縁部を有する収容孔、および、当該ディスクにおける残りの部分の外形と略一致する形状に隆起した保持部を備え、
前記第２紙片部は、前記収容孔および前記保持部の周囲に接着され、前記保持部との間にディスクを収容可能な収容空間を形成していることを特徴とするディスク収容ケース。
【請求項２】
前記第１紙片部および前記第２紙片部それぞれが折り線を介して第３紙片部に連設する展開ブランクを組み立てて形成されるものであり、
組み立て後では前記第２紙片部と前記第３紙片部とがそれらの裏面同士を対向させて重ね合わされているとともに、前記第１紙片部の裏面と前記第２紙片部の表面とが接着されている請求項１記載のディスク収容ケース。
【請求項３】
組み立て後の前記第１紙片部、前記第２紙片部および前記第３紙片部を第１収容手段とした場合、この第１収容手段と同様の構成の第２収容手段をさらに備える請求項２記載のディスク収容ケース。
【請求項４】
前記第１収容手段と前記第２収容手段との間に紙片連結部が折り線を介して連設し、これら収容手段がそれぞれ当該折り線に沿って前記紙片連結部に略直交するように折り曲げ可能である請求項３記載のディスク収容ケース。
【請求項５】
前記紙片部が一辺の長さを約３０ｃｍとする正方形状であることを特徴とする請求項１〜４の何れかに記載のディスク収容ケース。
【請求項６】
前記第１紙片部に前記収容孔および前記保持部を複数有することを特徴とする請求項５記載のディスク収容ケース。
【請求項７】
第１紙片部のうちディスクの一部分の外周に沿って切り抜いた収容孔に連続する部分を、当該ディスクにおける残りの部分の外形と略一致する形状に隆起させて保持部を形成する保持部形成工程と、
第１紙片部の裏面側に第２紙片部を重ね合わせつつ、これら紙片部の少なくとも縁部同士を接着する接着工程とを含むことを特徴とするディスク収容ケースの製造方法。
【請求項８】
前記保持部は、前記第１紙片部にディスクを当接させた状態で当該ディスクにおける残りの部分の外周に沿って筋を入れることで形成される請求項７記載のディスク収容ケースの製造方法。
【発明の詳細な説明】
【技術分野】
【０００１】
本発明は、ディスクを手間なく容易に挿入できるとともに、収容したディスクを安定して保持することが可能なディスク収容ケースおよびディスク収容ケースの製造方法に関するものである。
【背景技術】
【０００２】
ＣＤやＤＶＤなどのディスクを収容するためのディスク収容ケースは、従来、ディスク全体を収容する方形の袋状で紙製のポケットタイプのものや、紙製の台紙にディスクの外周と内周とを係合させる凹凸構造を有したプラスチック成型品を張り付けて製造されるものが知られている。しかしながら、前者は、ディスクの表示面が見えにくい上に、紙製でかつ構造が単純であることなどから見た目が安っぽく、後者は、プラスチック成型などによりコストが掛かる上に、ケース自体に印刷を行うことが困難という問題がある。
【０００３】
このような問題を解決するため、特許文献１には、ディスクの表示面を露出させるための窓部および収容状態のディスクの一部を覆う被覆部が形成された枠片部と、枠片部に重ね合わされ、枠片部との間でディスクを収容可能な載置片と、載置片に重ね合わされた背面片とを備え、枠体片の両側にそれぞれ連設するのりしろを背面片の裏面に折り曲げつつ接着したディスク収容ケースが開示されている。このディスク収容ケースは、１枚の紙素材を型抜きしたものを組み立てることで比較的容易に製造可能であることから、コストを抑えることができるとともにケース自体に印刷を行うことが可能である。また、窓部を介してディスクの表示面を露出させることができる。
【先行技術文献】
【特許文献】
【０００４】
【特許文献１】特許第３８９４１２８号
【発明の概要】
【発明が解決しようとする課題】
【０００５】
しかしながら、特許文献１に開示のディスク収容ケースは、非収容時において枠体片と載置片とが当接し、ディスクを挿入するための開口が閉じていることから、ディスクを収容する際にそれらの間を押し広げる動作を行う必要があり、ディスクを手間なく挿入可能なものではない。また、のりしろにより両端を密着させた枠体片と載置片との間にディスクを挿入しているだけであることから、収容状態で逆さにした場合、ディスクがケースから脱落しやすいという問題がある。このように、特許文献１のディスク収容ケースは、ディスクを手間なく容易に挿入可能なものではなく、収容状態で逆さにした場合の保持力も十分とはいえない。
【０００６】
本発明は、上記のような課題を解消することを目的としており、ディスクを手間なく容易に挿入することができるとともに、逆さにした場合でも収容しているディスクを安定して保持することができ、さらには収容状態でディスクの表示面を露出させることができ、ケース自体に印刷が可能で安価なディスク収容ケースおよびディスク収容ケースの製造方法を提供することを目的とする。
【課題を解決するための手段】
【０００７】
本発明は、かかる目的を達成するために、次のような手段を講じたものである。
【０００８】
すなわち、本発明のディスク収容ケースは、第１紙片部と、この第１紙片部の裏面側に重なる第２紙片部とを含み、前記第１紙片部は、ディスクの一部分の外周に沿った縁部を有する収容孔、および、当該ディスクにおける残りの部分の外形と略一致する形状に隆起した保持部を備え、前記第２紙片部は、前記収容孔および前記保持部の周囲に接着され、前記保持部との間にディスクを収容可能な収容空間を形成していることを特徴とする。
【０００９】
このような構成であることによって、収容孔に連続する位置で、常にディスクの厚み分だけ収容空間が開口していることから、保持部を押し広げる動作を行うことなく収容孔から収容空間にディスクを容易に挿入することができる。また、収容時には、保持部によりディスクの厚み方向への移動を規制しつつ、収容空間と収容孔とでベース部の内部にディスク全体をきっちりと装着することができる。そのため、ディスク収容ケースを逆さにした場合であっても、ディスクの端面が収容孔の周面に当接し、縁部にホールドされてずれにくいので、保持部からディスクを脱落しにくくすることができる。さらに、収容状態のディスクは収容孔を介して表示面を露出させることができるとともに、紙製であることからコストを抑えられ、紙片部に印刷を施すことが可能である。したがって、ディスクを手間なく容易に挿入可能であるとともに、逆さにした場合であっても収容したディスクを安定して保持することができ、さらには収容状態のディスクの表示面を露出させることが可能で、ケース自体に自由に印刷を施すことができる安価なディスク収容ケースを実現することができる。
【００１０】
全ての紙片部の表面が外側に現れるディスク収容ケースを容易に実現するためには、前記第１紙片部および前記第２紙片部それぞれが折り線を介して第３紙片部に連設する展開ブランクを組み立てて形成されるものであり、組み立て後では前記第２紙片部と前記第３紙片部とがそれらの裏面同士を対向させて重ね合わされているとともに、前記第１紙片部の裏面と前記第２紙片部の表面とが接着されている構成とすることが好ましい。
【００１１】
ディスクを見開きで収容可能なものにするためには、組み立て後の前記第１紙片部、前記第２紙片部および前記第３紙片部を第１収容手段とした場合、この第１収容手段と同様の構成の第２収容手段をさらに備えるように構成することが好ましい。
【００１２】
また、一方の収容手段を他方の収容手段に重ね合わせてカバーとして機能させるとともに、このようにディスク収容ケースを閉じた状態においてディスクを収容している場合と収容していない場合とでケースの形状が変化することを抑制するためには、前記第１収容手段と前記第２収容手段との間に紙片連結部が折り線を介して連設し、これら収容手段がそれぞれ当該折り線に沿って前記紙片連結部に略直交するように折り曲げ可能であるように構成することが好ましい。
【００１３】
ＬＰ（long-playing record）盤と同程度の大きさにして、年配者になじみ深いディスク収容ケースとするためには、前記紙片部が一辺の長さを約３０ｃｍとする正方形状であることが好ましい。
【００１４】
さらにこのような大きさのディスク収容ケースにおいてディスクの収容可能枚数を増加させるためには、前記第１紙片部に前記収容孔および前記保持部を複数有することが好ましい。
【００１５】
本発明に係るディスク収容ケースの製造方法は、第１紙片部のうちディスクの一部分の外周に沿って切り抜いた収容孔に連続する部分を、当該ディスクにおける残りの部分の外形と略一致する形状に隆起させて保持部を形成する保持部形成工程と、第１紙片部の裏面側に第２紙片部を重ね合わせつつ、これら紙片部の少なくとも縁部同士を接着する接着工程とを含むことを特徴とする。
【００１６】
このように製造されることで、例えば保持部形成工程の後に接着工程を行う場合、すなわち第１紙片部と第２紙片部とを接着する前に保持部を形成する場合には、接着の際に、ディスクと略同一の厚み分隆起している保持部に接着剤などが付着しにくく、保持部が第２紙片部に接着されにくいことから、ディスクの残りの部分の外形に合った収容空間を安定して形成することができる。一方、接着工程の後に保持部形成工程を行う場合には、第１紙片部と第２紙片部とを接着した後に、保持部となる部分に収容孔からディスクの残りの部分を差し込み、第１紙片部の収容孔にディスクをはめ込んだ状態で保持部を形成できることから、保持部形成の途中でディスクの位置をずれにくくして、所望の位置に安定して保持部を形成することができる。
【００１７】
ディスクの形状に合った保持部を容易に形成するためには、前記保持部が、前記第１紙片部にディスクを当接させた状態で当該ディスクにおける残りの部分の外周に沿って筋を入れることで形成されることが好ましい。
【発明の効果】
【００１８】
本発明は、以上説明した構成であるから、ディスクを手間なく容易に挿入可能であるとともに、逆さにした場合であっても収容したディスクを安定して保持することができ、収容状態のディスクの表示面を露出させること及びケース自体に印刷を施すことが可能で安価なディスク収容ケースおよびディスク収容ケースの製造方法を提供することができる。
【図面の簡単な説明】
【００１９】
【図１】本発明の一実施形態に係るディスク収容ケースを見開きの状態で示す斜視図。
【図２】同ディスク収容ケースの平面図。
【図３】図２に示す同ディスク収容ケースを切断面線ＩＩＩ−ＩＩＩで切断した状態で示す部分断面図。
【図４】同ディスク収容ケースの展開ブランクを示す平面図。
【図５】図４に示す展開ブランクの一部を組み立てた状態を示す図。
【図６】同ディスク収容ケースの変形例を示す図。
【図７】同ディスク収容ケースの他の変形例を示す図。
【図８】同ディスク収容ケースのさらに他の変形例を示す図。
【発明を実施するための形態】
【００２０】
以下、本発明の一実施形態を、図面を参照して説明する。
【００２１】
図１に示すように、本発明の実施の一形態であるディスク収容ケース（ＣＤ・ＤＶＤパック）１は、左右方向に連続して設けられた第１収容手段１Ａと第２収容手段１Ｂとを備える。第１収容手段１Ａは、収容孔２１および保持部２３が形成された第１紙片部２と、この第１紙片部２の裏面２ｂ側に重なりつつ収容孔２１および保持部２３の周囲に接着され、保持部２３との間にディスクＤを収容可能な収容空間Ｓを形成する第２紙片部３とを含む。第２収容手段１Ｂは、第１収容手段１Ａと同様の構成であり、第１収容手段１Ａと同様の部材には同一の参照符号としたうえで『´』を付けて説明を省略する。
【００２２】
図１に示す第１紙片部（裏表紙）２は、一辺の長さＬ１が約１８ｃｍ（７ｉｎｃｈ）の正方形であり、その表面２ａに印刷が施されている。収容孔２１は、第１紙片部２の略中央に形成されており、表示面Ｄｂに印刷が施されたディスクＤの約２／３程度の領域に相当する一部分ＤＡの外周に沿った縁部２１ｂを有する。収容孔２１の下方には、当該ディスクＤの約１／３程度の領域に相当し、当該ディスクＤの残りの部分ＤＢの形状に略一致する保持部（ポケット）２３が形成されており、保持部２３の上端縁２３ａは曲線を描きつつ中央が収容孔２１に向けて突出している。なお、保持部２３の形状はこれに限定されず、種々の形状をとることができる。保持部２３および収容孔２１はベース部２０に囲まれており、ベース部２０との境界である保持部２３の下端にはディスクＤの残りの部分ＤＢにおける外周に沿った筋２２が形成され、この筋２２よりも内側が図１，３に示すようにディスクＤの厚みｄ２と略同一の厚みｄ１分だけベース部２０よりも隆起している。このような保持部２３は、第１収容手段１Ａを構成する第２紙片部３との間で、上方に開口しつつ下側がディスクＤの外周に沿って閉塞された収容空間Ｓを形成している。この開口は、ディスクＤを挿入していない状態でもディスクＤの厚みと略同一の厚みｄ１だけ開いており、そのため、収容孔２１から収容空間ＳにディスクＤを挿入する際に、保持部２３を第２紙片部３から引き離す動作を行う必要がなく、収容孔２１の縁部２１ｂから保持部２３の下端に亘って１枚のディスクＤ全体を隙間なく収容することができる。このとき、ディスクＤの一部分ＤＡにおける端面Ｄａは、収容孔２１の周面２１ａ（図１，３参照）に当接しつつディスクＤの残りの部分ＤＢが保持部２３の下側に当接するとともに、保持部２３によりディスクＤが厚さｄ２方向に押さえつけられてホールドされる。以下、ディスク収容ケース１において収容孔２１および保持部２３が現れる面を中面Ｉと呼ぶ。
【００２３】
このような第１紙片部２の裏面２ａにはベース部２０全面に糊面２４（図４参照）が形成されており、図１，３に示すように第１紙片部２と略同一の大きさの第２紙片部（中表紙）３の表面３ａが接着されている。すなわち、第１紙片部２と第２紙片部３とは収容孔２１および保持部２３の周囲で接着されており、中面Ｉにおいて、第２紙片部３は収容孔２１を介して一部が露出しているが、ディスクＤを収容孔２１に収容することで、収容孔２１を介して露出していた部分のほぼ全体（ディスクＤの中央孔Ｄｃに対応する部分以外）が被覆される。第２紙片部３の表面３ａにも印刷が施されており、ディスクＤが収容されていない状態では、第２紙片部３の表面３ａの印刷が現れるようになる。
【００２４】
図１，３に示す第２紙片部３には、これと略同一の大きさの第３紙片部（表表紙）４が裏面３ｂ，４ｂ同士を対向させて重ね合わされ、第１紙片部２と第３紙片部４とで第２紙片部３を両側から挟み込むように構成されている。第３紙片部４の裏面４ｂにも印刷が施されている。図１に示すように、第１紙片部２と第３紙片部４とは第１折り線５を介して連設されており、第３紙片部４と第２紙片部３とは第２折り線６を介して連設している。また本実施形態では、第２紙片部３と第３紙片部４とは第２折り線６を介して連設しているのみで接着されておらず、これら紙片部３，４の間には歌詞カード等を収容可能な収容部（ポケット）３０（図３では紙片部３´，４´間の収容部３０´）が形成されている。なお、このような収容部３０を形成するにあたり各紙片部３，４において後述する第４紙片部７側の端部同士を接着してもよく、これによって歌詞カード等を収容部３０から落下しにくくすることができる。また、紙片部３，４の少なくとも幅方向両端部が接着されて収容部３０が形成されない構成としてもよい。以下、ディスク収容ケース１において第３紙片部４の表面４ｂが現れる面を表面Ｆと呼ぶ。
【００２５】
なお、第１紙片部２、第２紙片部３および第３紙片部４の形状は正方形に限定されず、矩形状や円形、五角形以上の多角形などであってもよい。
【００２６】
図１に示すように、第１収容手段１Ａおよび第２収容手段１Ｂは、各第３紙片部４，４´同士の間に設けられた紙片連結部としての第４紙片部７に第３折り線８，８´を介して連設されている。第４紙片部７はディスクＤの３枚分程度の幅Ｌ２（図２参照）を有しており、第４紙片部７に対して第１収容手段１Ａと第２収容手段１Ｂとを略平行に開くことで、中面ＩにディスクＤを見開きで収容することができる。また、第３折り線８，８´に沿って第１収容手段１Ａおよび第２収容手段１Ｂを第４紙片部７に対して略直交する位置まで折り曲げることで、一方の収容手段１Ａ（１Ｂ）が他方の収容手段１Ｂ（１Ａ）のカバーとして機能することになる。また、第４紙片部７はその表面７ａに印刷が施されており、中面Ｉにおいては裏面７ｂが現れるのに対して表面Ｆにおいては表面７ａが現れ、第４紙片部７に背表紙としての機能を付与している。
【００２７】
このようなディスク収容ケース１からディスクＤを抜き取る際には、例えばディスクＤとディスク収容ケース１の中面Ｉとの間に指を挿入し、ディスクＤの中心孔Ｄｃに挿入した他の指との間でディスクＤを挟み込み、第１折り線５に向けて持ち上げるようにする。
【００２８】
ディスク収容ケース１は、図４に示すようなボール紙で構成された展開ブランク１０を組み立てて製造される。この展開ブランク１０は、オフセット印刷機に通せる程度の厚みを有する１枚の紙素材（例えば厚み１ｍｍ程度の板紙）を、所定箇所を打ち抜くとともに所要箇所に折り線５，５´，６，６´，８，８´を施して、第１折り線５，５´、第２折り線６，６´を介して第１紙片部２，２´、第３紙片部４，４´および第２紙片部３，３´をこの順で一方向に隣接させるとともに、２つの第３紙片部４，４´同士の間に第３折り線８，８´を介して第４紙片部７を連接させて形成したものである。第１紙片部２，２´には、収容孔形成工程においてディスクＤの一部分ＤＡ（図１，２参照）の外周に沿った縁部２１ｂを有する前述した収容孔２１，２１´が形成されるとともに、保持部形成工程において保持部２３，２３´が形成されている。保持部形成工程では、第１紙片部２，２´の裏面２ｂ，２ｂ´における収容孔２１，２１´の下方にディスクＤにおける残りの部分ＤＢ（図１，２参照）を当接させた状態で、例えばペンの頭部など断面がＵ字状の突起物を第１紙片部２，２´の表面２ａ，２ａ´から押し当てつつ当該部分ＤＢの外周に沿って移動させて筋２２，２２´を入れていき、これにより、この筋２２，２２´の内側を隆起させて保持部２３，２３´を形成する。なお、筋２２，２２´を形成するために使用可能な突起物としては、他に、芯を引っ込めた金属製のペンの先端や専用の竹ベラなど、先端がある程度細くかつ第１紙片部２，２´表面を滑りやすいものが挙げられる。図４では展開ブランク１０は、ボール紙の裏面を上にして図示しており、ボール紙の裏面には斜線を引き、表面には十字模様を入れている。これは他の図面でも同様である。
【００２９】
このような展開ブランク１０からディスク収容ケース１を組み立てる際には、まず、組立工程において、第２の折り線６，６´に沿って第２紙片部３，３´を第３紙片部４，４´上に折り返し、これらの裏面３ｂ，４ｂ（３ｂ´，４ｂ´）同士を対向させて図５に示すような状態にする。その後、第１の折れ線５，５´に沿って第１紙片部２，２´を第３紙片部４，４´に重ねられた第２紙片部３，３´上に折り返す。さらに接着工程において、第１紙片部２，２´の裏面２ｂ，２ｂ´に設けられた糊面２４，２４´を介して、第１紙片部２，２´の裏面２ｂ，２ｂ´と第２紙片部３，３´の表面３ａ，３ａ´とを例えば接着剤を利用して接着する。これによって、図１，２に示すディスク収容ケース１が得られる。
【００３０】
以上のように、本実施形態に係るディスク収容ケース１は、第１紙片部２，２´と、この第１紙片部２，２´の裏面２ｂ，２ｂ´側に重なる第２紙片部３，３´とを含み、第１紙片部２，２´は、ディスクＤの一部分の外周に沿った縁部２１ｂ，２１ｂ´を有する収容孔２１，２１´、および、当該ディスクＤにおける残りの部分ＤＢの外形と略一致する形状に隆起した保持部２３，２３´とを備え、第２紙片部３，３´は、収容孔２１，２１´および保持部２３，２３´の周囲に接着され、保持部２３，２３´との間にディスクＤを収容可能な収容空間Ｓ，Ｓ´を形成するように構成したものである。
【００３１】
このような構成であることによって、収容孔２１，２１´に連続する位置で、常にディスクＤの厚みｄ２分だけ収容空間Ｓ，Ｓ´が開口していることから、保持部２３，２３´を押し広げる動作を行うことなく収容孔２１，２１´から収容空間Ｓ，Ｓ´にディスクＤを容易に挿入することができる。また、収容時には、保持部２３，２３´によりディスクＤの厚みｄ２方向への移動を規制しつつ、収容空間Ｓ，Ｓ´と収容孔２１，２１´とでベース部２０，２０´の内部にディスクＤ全体をきっちりと装着することができる。そのため、ディスク収容ケース１を逆さにした場合であっても、ディスクＤの端面Ｄａが収容孔２１，２１´の周面２１ａ，２１ａ´に当接し、縁部２１ｂ，２１ｂ´にホールドされてずれにくいので、保持部２３，２３´からディスクＤを脱落しにくくすることができる。さらに、収容状態のディスクＤは収容孔２１，２１´を介して表示面Ｄｂを露出させることができるとともに、紙製であることからコストを抑えることができ、紙片部２，３，４（２´，３´，４´）に自由に印刷を施すことが可能である。したがって、ディスクＤを手間なく容易に挿入可能であるとともに、逆さにした場合であっても収容したディスクＤを安定して保持することができ、さらには収容状態のディスクＤの表示面を露出させることが可能で、ケース自体に印刷を施すことができる安価なディスク収容ケース１を実現することができる。またさらに、保持部２３，２３´がディスクＤの外形と略一致する形状に隆起していることから、ベース部２０，２０´のうち筋２２，２２´の近傍に多少接着剤等が塗られていない部分があったとしても、収容状態のディスクＤの端面Ｄａが保持部２３，２３´の下端部に当接してベース部２０，２０´と第２紙片部３，３´との間に入り込みにくくなり、ディスクＤを適正に収容することができる。
【００３２】
また、第１紙片部２，２´および第２紙片部３，３´それぞれが第１折り線５，５´、第２折り線６，６´を介して第３紙片部４，４´に連設する展開ブランク１０を組み立てて形成されるものであり、組み立て後では第２紙片部３，３´と第３紙片部４，４´とがそれらの裏面３ｂ，４ｂ（３ｂ´，４ｂ´）同士を対向させて重ね合わされているとともに、第１紙片部２，２´の裏面２ｂ，２ｂ´と第２紙片部３，３´の表面３ａ，３ａ´とが接着されるように構成したことから、組立後のディスク収容ケース１においてすべての紙片部２，３，４（２´，３´，４´）の表面２ａ，３ａ，４ａ（２ａ´，３ａ´，４ａ´）を外側に現すことができる。そのため、紙製の展開ブランク１０において一方の面に印刷を行うことで、収容状態のディスクＤを取り取った際に収容孔２１，２１´から露出する面を含めて外側に現れるすべての面に印刷が施されたディスク収容ケース１とすることができる。そのため、例えばディスクＤを抜き取ることで第１紙片部２，２´に印刷された絵柄に対応する絵柄が収容孔２１，２１´を介して現れる（例えば第１紙片部２，２´に印刷された絵柄と第２紙片部３，３´に印刷された絵柄とで１つの絵柄になる）ように設計することが可能となる。また、展開ブランク１０を利用することで、ディスク収容ケース１を簡単に組み立てることができる。
【００３３】
さらに、組み立て後の第１紙片部２、第２紙片部３および第３紙片部４を第１収容手段１Ａとした場合、この第１収容手段１Ａと同様の構成の第２収容手段１Ｂをさらに備えるように構成したことから、第１収容手段１Ａと第２収容手段１ＢそれぞれにディスクＤを収容することで、ディスクＤを見開きで収容することができる。
【００３４】
またさらに、第１収容手段１Ａと第２収容手段１Ｂとの間に紙片連結部としての第４紙片部７が第３折り線８，８´を介して連設し、これら収容手段１Ａ，１Ｂがそれぞれ第３折り線８，８´に沿って第４紙片部７に略直交するように折り曲げ可能であることから、第４紙片部７により背表紙に相当するものを形成することができるとともに、ディスク収容ケース１において一方の収容手段１Ａ（１Ｂ）を他方の収容手段１Ｂ（１Ａ）に重ね合わせてカバーとして機能させることができる。したがって、収容したディスクＤに埃や傷などがつくことを抑制できるとともに、このようにディスク収容ケース１を閉じている状態においてディスクＤを収容している場合と収容していない場合とでディスク収容ケース１の形状が変化することを抑制することができる。
【００３５】
また、本実施形態に係るディスク収容ケース１の製造方法は、第１紙片部２，２´のうちディスクＤの一部分ＤＡの外周に沿って切り抜いた収容孔２１，２１´に連続する部分を、当該ディスクＤにおける残りの部分ＤＢの外形と略一致する形状に隆起させて保持部２３，２３´を形成する保持部形成工程と、第１紙片部２，２´の裏面２ｂ，２ｂ´側に第２紙片部３，３´を重ね合わせつつ、これら紙片部２，３（２´，３´）の少なくとも縁部２ｃ，３ｃ（２ｃ´，３ｃ´）同士を接着する接着工程とを含むことを特徴とする。
【００３６】
このように製造され、保持部形成工程の後に接着工程を行う、すなわち各紙片部２，３（２´，３´）を接着する前にベース部２０，２０´に対して隆起した保持部２３，２３´を形成することで、第１紙片部２，２´のベース部２０，２０´と第２紙片部３，３´とを接着する際に、糊面２４，２４´に塗布する接着剤などが保持部２３，２３´に付着しにくく、保持部２３，２３´が第２紙片部３，３´に接着されにくいことから、ディスクＤの残りの部分ＤＢの外形に合った保持部２３，２３´を安定して形成することができる。
【００３７】
また、保持部２３，２３´は、第１紙片部２，２´にディスクＤを当接させた状態で当該ディスクＤにおける残りの部分ＤＢの外周に沿って第１紙片部２，２´に筋２２，２２´を入れることで形成されることから、ディスクＤの形状に合った保持部２３，２３´を容易に形成することができる。
【００３８】
なお、各部の具体的な構成は、上述した実施形態のみに限定されるものではなく、本発明の趣旨を逸脱しない範囲で種々変形が可能である。
【００３９】
例えば、上記実施形態では、第１紙片部２，２´が一辺の長さＬ１を約１８ｃｍとする正方形状であるが、この大きさや形に限定されず、例えば図６に示すディスク収容ケース１００のように、第１紙片部１０２，１０２´が一辺の長さＬ３を約３０ｃｍ（１２インチ）とする正方形状であってもよい。これによって昔のＬＰ盤サイズになり、年配者になじみ深い外形となる。また、一辺の長さＬ３を約３０ｃｍとする正方形状とした場合、図７に示すように、第１収容手段２００Ａおよび第２収容手段２００Ｂの各第１紙片部２０２，２０２´に収容孔２１，２１´および保持部２３，２３´を複数（図７では各収容手段２００Ａ，２００Ｂに４個ずつ）有するものとし、ディスクＤの収容可能枚数を増加させるようにしてもよい。なお、図６〜８では、上記実施形態と同様の構成のものには同一の符号をつけて説明を省略している。
【００４０】
また、図４に示す本実施形態のディスク収容ケース１を製造するための展開ブランク１０では第１紙片部２，２´、第２紙片部３，３´および第３紙片部４，４´が一方向に形成されているが、図８（ａ）に示す展開ブランク２１０のように、第１紙片部２０２，２０２´と第３紙片部２０４，２０４´とが第１折り線２０５，２０５´を介して連設し、この第１折り線２０５，２０５´に直交する第２折り線２０６，２０６´を介して第３紙片部２０４，２０４´と第２紙片部２０３，２０３´とが連設するものであってもよい。なお、２つの第３紙片部２０４，２０４´同士の間には、第４紙片部２０７が第３折り線２０８，２０８´を介して連設している。このような展開ブランク２１０では、第２紙片部２０３，２０３´を第２折り線２０６，２０６´に沿って折り返し、第３紙片部２０４，２０４´上に重ね合わせて図８（ｂ）に示す状態にした後、第１紙片部２０２，２０２´を第１折り線２０５，２０５´に沿って折り返して第２紙片部２０３，２０３´上に重ね合わせて収容孔２１，２１´および保持部２３，２３´の周囲を接着することで、図１に示すディスク収容ケース１とほぼ同一の構成であり、同様の作用効果を有するディスク収容ケースを得ることができる。
【００４１】
また、図４に示す展開ブランク１０および図８に示す展開ブランク２１０では、各第３紙片部４，４´同士の間に第３折り線８，８´（２０８，２０８´）を介して第４紙片部２０７が設けられているが、第４紙片部２０７は、第１紙片部２，２´（２０２，２０２´）同士の間や第２紙片部３，３´同士の間などに設けられてもよい。なお、図４に示す展開ブランク１０において仮に第４紙片部７を第２紙片部３，３´同士の間に設けた場合、得られるディスク収容ケースでは中面Ｉにおいて第４紙片部７の表面が現れるようになる。
【００４２】
また、本実施形態では第１収容手段１Ａおよび第２収容手段１Ｂの両方に収容孔２１および保持部２３が形成されているが、どちらか一方の収容手段１Ａ（１Ｂ）にのみ形成されてもよい。また、第２収容手段１Ｂを備えず、第１収容手段１Ａのみでディスク収容ケースが構成されてもよい。さらに、ディスク収容ケースが１つの展開ブランク１０（２１０）を組み立てて製造されるものではなく、それぞれ別体である第１紙片部、第２紙片部および第３紙片部を重ね合わせつつ互いを接着することで製造されてもよい。またさらに、第１紙片部２，２´の裏面２ｂ，２ｂ´において糊面２４，２４´がベース部２０，２０´全体に形成されているが、本発明の作用効果が発揮される限りにおいてベース部２０，２０´の一部にのみ形成されてもよい。例えば、組立後において第１紙片部２，２´と第１紙片部２，２´との間に隙間が形成されないように、少なくとも第１紙片部２，２´の縁部２ｃ，２ｃ´と第２紙片部３，３´の縁部３ｃ，３ｃ´とを接着するようにしてもよい。
【００４３】
また、第１紙片部２，２´に収容孔２１，２１´および保持部２３，２３´を形成するタイミングは特に限定されず、どのタイミングで形成されてもよく、同時であってもよい。たとえば、上記実施形態では保持部形成工程の後に接着工程を行っているが、接着工程の後に保持部形成工程を行うようにしてもよく、この場合には、第１紙片部２，２´と第２紙片部３，３´とを接着した後に、保持部２３，２３´となる部分に収容孔２１，２１´からディスクＤの残りの部分ＤＢを差し込み、その状態でペンなどで筋２２，２２´を入れて保持部２３，２３´を形成することができる。このように第１紙片部２，２´の収容孔２１，２１´にディスクＤをはめ込んだ状態で筋２２，２２´を入れて保持部２３，２３´を形成することで、途中でディスクＤの位置をずれにくくして、所望の位置に安定して保持部２３，２３´を形成することができる。また、保持部２３，２３´は、第１紙片部２，２´に筋２２，２２´を入れることで形成される構成に限定されず、プレス加工や型押しなどによって形成されてもよい。
【００４４】
その他の構成も、本発明の趣旨を逸脱しない範囲で種々の変形が可能である。
【符号の説明】
【００４５】
１，１００，２００・・・ディスク収容ケース
１Ａ，１００Ａ，２００Ａ・・・第１収容手段
１Ｂ，１００Ｂ，２００Ｂ・・・第２収容手段
２，２´，１０２，１０２´，２０２，２０２´・・・第１紙片部
２ｂ，２ｂ´・・・第１紙片部の裏面
２ｃ，２ｃ´・・・第１紙片部の縁部
３，３´，１０３，１０３´，２０３，２０３´・・・第２紙片部
３ａ，３ａ´・・・第２紙片部の表面
３ｂ，３ｂ´・・・第２紙片部の裏面
３ｃ，３ｃ´・・・第２紙片部の縁部
４，４´，１０４，１０４´，２０４，２０４´・・・第３紙片部
４ｂ，４ｂ´・・・第３紙片部の裏面
５，６・・・折り線
７，１０７，２０７・・・第４紙片部(紙片連結部)
８，８´，２０８，２０８´・・・第３折り線
１０，２１０・・・展開ブランク
２１，２１´・・・収容孔
２１ｂ，２１ｂ´・・・縁部
２２，２２´・・・筋
２３，２３´・・・保持部
Ｄ・・・ディスク
Ｓ，Ｓ´・・・収容空間
Ｌ１，Ｌ３・・・一辺の長さ
【図１】
2015168440.tif 000003
【図２】
2015168440.tif 000004
【図３】
2015168440.tif 000005
【図４】
2015168440.tif 000006
【図５】
2015168440.tif 000007
【図６】
2015168440.tif 000008
【図７】
2015168440.tif 000009
【図８】
2015168440.tif 000010